(57)【要約】【課題】既設の折板屋根とはピッチや種類の異なる種々の屋根を、既設の折板屋根の上に手間なく葺くことのできる改修用屋根材取付具を提供する。【解決手段】折板屋根Ｙの山部Ｙ１、Ｙ１間に、山部Ｙ１より突出したボルト体Ｂ、Ｂ間に挟まれるように架設される改修用屋根材取付具１であって、一対の脚部１０、１０と、脚部１０、１０間に架設形成された新設屋根材施工用の台座部１８とを備えた構成とされ、脚部１０は、その外側面１０ａに凹溝部１３を有し、凹溝部１３と、隣設される改修用屋根材取付具１の脚部１０の凹溝部１３との間にボルト体Ｂを挟持して固定する固定部１５を備えている。【選択図】図１
2014214462.tif 000002
【特許請求の範囲】
【請求項１】
折板屋根の山部間に、該山部より突出したボルト体間に挟まれるように架設される改修用屋根材取付具であって、
一対の脚部と、該脚部間に架設形成された新設屋根材施工用の台座部とを備えた構成とされ、
前記脚部は、その外側面に凹溝部を有し、該凹溝部と、隣設される改修用屋根材取付具の脚部の凹溝部との間に前記ボルト体を挟持して固定する固定部を備えていることを特徴とする改修用屋根材取付具。
【請求項２】
請求項１において、
前記凹溝部の内面には凹凸が形成されていることを特徴とする改修用屋根材取付具。
【請求項３】
請求項１または２において、
前記脚部の凹溝部と同形状の凹溝部と、前記脚部に固定する固定部とを有した別体の端部用挟持板体をさらに備えており、
前記隣設される改修用屋根材取付具との固定に代えて、前記脚部の凹溝部と、前記端部用挟持板体の凹溝部とで前記ボルト体を挟持し、前記固定部同士で固定することを特徴とする改修用屋根材取付具。
【請求項４】
請求項１〜３のいずれか１項において、
前記凹溝部同士を突き合わせて形成される開口が、突き合わせ方向の径を短径とした略楕円形状であることを特徴とする改修用屋根材取付具。
【発明の詳細な説明】
【技術分野】
【０００１】
本発明は、既設の折板屋根の上に取り付けられる改修用屋根材取付具に関する。
【背景技術】
【０００２】
従来では、折板屋根を山のピッチが同じ屋根材で改修する場合、その既設の折板屋根の上に、その屋根の屋根材連結用のボルト体と、特殊金具とを用いて新たな屋根材を取り付ける工法が実施されている。
【０００３】
また、既設の折板屋根とは異なるピッチの屋根を葺く場合や、屋根材の連結方式がボルト式のものからハゼ式のものに替える場合では、既設の折板屋根に長尺のＣ型チャンネル鋼材などを山部に架け渡すように設置し、その上に折板屋根用取付材（タイトフレーム）を取り付ける工法が採られていた（特許文献１参照）。
【先行技術文献】
【特許文献】
【０００４】
【特許文献１】特開平５−１１８１０３号公報
【発明の概要】
【発明が解決しようとする課題】
【０００５】
しかしながら、上記の特殊金具を用いる工法では、山のピッチの異なる屋根を取り付けることができない。また、特許文献１のようなＣ型チャンネル鋼材を用いる工法の場合、屋根上での長尺のＣ型チャンネル鋼材などを山部に架け渡して折板屋根用取付材を取り付けることが面倒であり、手間がかかっていた。
【０００６】
本発明は、このような事情を考慮して提案されたもので、その目的は、既設の折板屋根とはピッチや、種類（たとえば屋根材同士の結合方式）の異なる種々の屋根を、既設の折板屋根の上に手間なく葺くことのできる改修用屋根材取付具を提供することにある。
【課題を解決するための手段】
【０００７】
上記目的を達成するために、請求項１に記載の改修用屋根材取付具は、折板屋根の山部間に、該山部より突出したボルト体間に挟まれるように架設される改修用屋根材取付具であって、一対の脚部と、該脚部間に架設形成された新設屋根材施工用の台座部とを備えた構成とされ、脚部は、その外側面に凹溝部を有し、該凹溝部と、隣設される改修用屋根材取付具の脚部の凹溝部との間にボルト体を挟持して固定する固定部を備えていることを特徴とする。
【０００８】
請求項２に記載の改修用屋根材取付具は、凹溝部の内面には凹凸が形成されていることを特徴とする。
【０００９】
請求項３に記載の改修用屋根材取付具は、脚部の凹溝部と同形状の凹溝部と、前記脚部に固定する固定部とを有した別体の端部用挟持板体をさらに備えており、隣設される改修用屋根材取付具との固定に代えて、脚部の凹溝部と、端部用挟持板体の凹溝部とでボルト体を挟持し、固定部同士で固定することを特徴とする。
【００１０】
請求項４に記載の改修用屋根材取付具は、凹溝部同士を突き合わせて形成される開口が、突き合わせ方向の径を短径とした略楕円形状であることを特徴とする。
【発明の効果】
【００１１】
請求項１に記載の改修用屋根材取付具によれば、上述の構成となっているため、既設の屋根の上に複数の改修用屋根材取付具を連ねた状態に簡単に取り付けることができ、さらにその改修用屋根材取付具の上に改修用の屋根の屋根用取付材を取り付けることができる。そのため、改修用の屋根を手間なく葺くことができる。もちろん、既設の屋根とは異なるピッチ、種類の屋根を取り付けることもできる。
【００１２】
請求項２に記載の改修用屋根材取付具によれば、凹溝部の内面には凹凸が形成されているので、隣設される改修用屋根材取付具とボルト体を強固に挟持でき、ボルト体から外れることを防止でき、その結果、改修用の屋根を安定した状態に維持できる。
【００１３】
請求項３に記載の改修用屋根材取付具によれば、端部用挟持板体をさらに備えた構成であるため、複数連設した改修用屋根材取付具の開放端部においても、ボルト体を強固に挟持することができ、固定状態を維持できる。
請求項４に記載の改修用屋根材取付具によれば、上述の構成としているため、種々の径のボルト体に改修用屋根材取付具を連設、固定することができる。
【図面の簡単な説明】
【００１４】
【図１】本発明の一実施形態に係る改修用屋根材取付具の説明図であり、（ａ）は改修用屋根材取付具の本体の一部図示を省略した斜視図、（ｂ）は端部用挟持板体の斜視図である。
【図２】改修用屋根材取付具の折板屋根への取付態様（手順１）を示す縦断面図である。
【図３】改修用屋根材取付具の折板屋根への取付態様（手順２）を示す正面図である。
【図４】（ａ）は凹溝部同士の突合せ状態を示した拡大部分平面図、（ｂ）は径大なボルト体を挟着した状態の拡大部分平面図である。
【図５】施工した改修用屋根材取付具の上に改修用の屋根の屋根用取付材を配設した状態を示す正面図である。
【発明を実施するための形態】
【００１５】
以下に、本発明の実施の形態について、添付図面を参照しながら説明する。
【００１６】
本改修用屋根材取付具が取り付けられる屋根は、図２に示すような折板屋根Ｙである。また、屋根の素材としては、金属や合成樹脂、セメント系等のものが適用できる。
【００１７】
折板屋根Ｙは、山部Ｙ１と谷部Ｙ２とが交互に連続する屋根であって、複数の折板屋根材を側端縁の山部Ｙ１の頂部Ｙ１ａで重合し、その重合部でボルト体ＢとナットＣ１の螺着によって連結した重ね式連結構造となっている。
【００１８】
このナットＣ１は、その下方の山状の座金Ｃ２とともに座金部Ｃを構成している。座金Ｃ２は、折板屋根Ｙのボルト孔（不図示）からの水の浸入を防止するための防水パッキン（不図示）を覆っている。なお、座金部Ｃは、図例のような座金Ｃ２を含まず螺着用のナットＣ１のみで構成してもよい。
【００１９】
また、折板屋根Ｙの裏側には、折板屋根Ｙと正面視で略同形状をなす、ボルト止めのための屋根用取付材（タイトフレーム）（図示省略）が取り付けられている。折板屋根Ｙはこの補強材に支持される。
【００２０】
本実施形態で用いられる改修用屋根材取付具１の本体は、その長手方向の寸法が、図２に示すように、折板屋根Ｙのボルト体Ｂが突出した山部Ｙ１、Ｙ１間の寸法に合致している。この本体は、同一形状のものを複数、既設の折板屋根Ｙの上に、本体の長手方向に連設できるようになっている。
【００２１】
改修用屋根材取付具１の本体は、金属、合成樹脂などで製された板状体よりなり、一対の脚部１０、１０と、その脚部１０、１０間に架設形成された新設屋根材施工用の台座部１８とを備えて、正面視で門形状をなしている（図２参照）。
【００２２】
脚部１０は、その下端縁の中央が切り欠かれている。改修用屋根材取付具１の本体を折板屋根Ｙに設置した際には、この切欠き部１１の空間に山部Ｙ１の上面側に突出した座金部Ｃが配せられるようになっている。脚部１０をこのように切り欠くことにより、脚部１０の幅方向の両側端には分離脚部１２、１２が形成される。
【００２３】
また、脚部１０の外側面１０ａには、切欠き部１１の上端中央から上方に向かう凹溝部１３が形成されている。一方、脚部１０の内側面１０ｂには、この凹溝部１３によって突出した凸条１４が形成されている。本実施形態では、この凹溝部１３は、その横断面形状は半円ではなく、底までがやや浅く形成されている。
【００２４】
また、凹溝部１３の凹部内面には、凹溝部１３ほぼ全長にわたりねじ溝よりなる凹凸１３ａが形成されている。凹凸１３ａとしてはねじ溝に限らず、種々のものが適用でき、複数の略平行な細溝や同様の突条でもよく、梨地状の凹部、凸部などであってもよい。
【００２５】
さらに、脚部１０には、凹溝部１３を中央にはさむように、脚部１０の高さ方向のほぼ中央位置にボルト挿通孔１５ａ、１５ａが開設されている。このボルト挿通孔１５ａ、１５ａを設けた部位が、本体同士をボルト体Ｂの軸部Ｂ１を挟持した状態に固定するための固定部１５を構成する。
【００２６】
脚部１０は、本体を連設する際に、脚部１０の外側面１０ａ同士を突き合わせて、凹溝部１３同士、ボルト挿通孔１５ａ同士が重なるように左右対称の形状となっている。
【００２７】
台座部１８は、その上面が平坦に形成され、その上面に改修用の屋根の屋根用取付材３０を溶接、ねじ止めなどにより設置、固定できるようになっている。
【００２８】
また、改修用屋根材取付具１の本体を連設した場合の開放端部の脚部１０には、図１（ｂ）に示すような端部用挟持板体２０を取り付けるようになっている。
【００２９】
この端部用挟持板体２０は、改修用屋根材取付具１の本体の脚部１０と同形状をなしている。すなわち、端部用挟持板体２０は、凹凸２３ａを有した凹溝部２３、凹溝部２３の裏面側の凸条２４、切欠き部２１、分離脚部２２、２２、固定部２５（ボルト挿通孔２５ａ）を備えて左右対称形状とされる。端部用挟持板体２０は、左右対称形状であるため、いずれの開放端部にも取り付けることができる。
【００３０】
この改修屋根材取付具１の本体および端部用挟持板体２０は、図２、図３の手順図に示すように、折板屋根Ｙの上に設置、固定される。
【００３１】
具体的には、改修用屋根材取付具１の本体は、折板屋根Ｙの山部Ｙ１（頂部Ｙ１ａ）間に、頂部Ｙ１ａ、Ｙ１ａより突出したボルト体Ｂ、Ｂ間に挟まれるように架設される（図２参照）。つまり、両ボルト体Ｂ、Ｂの軸部Ｂ１、Ｂ１が対応した本体の脚部１０、１０の凹溝部１３、１３に嵌まり込むことで、本体は仮止めされる。
【００３２】
この仮止めされた本体の端部（脚部１０）には、凹溝部１３に嵌まり込んだボルト体Ｂの軸部Ｂ１をさらに他の凹溝部１３で包み込むように、隣設する他の改修用屋根材取付具１の本体が設置される。そして、両改修用屋根材取付具１、１の固定部１５、１５同士をボルト２、ナット３で固定する。そして、この連結作業を繰り返すことで本体が連設される。連設された改修用屋根材取付具１の開放端部側の脚部１０と、端部用挟持板体２０との固定についても、固定部１５、２５同士をボルト２、ナット３で固定することでなされる。
【００３３】
なお、脚部１０、１０（２０）同士の固定は、ボルト２、ナット３によらず、溶接など他の固定手段によってなされてもよい。
【００３４】
隣設される本体の脚部１０、１０同士は、図４（ａ）の拡大横断面図に示すようにボルト体Ｂの軸部Ｂ１をしっかりと包み込むが、上述したように凹溝部１３の深さは凹溝部１３の幅寸法に比べてやや浅く、凹溝部１３、１３同士を突き合わせて形成される横断面開口が突き合わせ方向の径を短径とした略楕円形状であるため、図４（ａ）、（ｂ）のような種々の径のボルト体Ｂを挟持することができる。
【００３５】
また、凹溝部１３の凹部内面には凹凸１３ａが形成されているため、隣設される改修用屋根材取付具１とともに、ボルト体Ｂを強固に挟持でき、本体がボルト体Ｂから外れることを防止でき、その結果、台座部１８に設置する改修用の屋根の屋根用取付材３０と改修用の屋根４０（図５参照）とを安定した状態に維持することができる。また、凹凸１３ａが形成されているため、軸部Ｂ１が磨耗したボルト体Ｂにも対応できる。
【００３６】
図５は、施工した改修用屋根材取付具１の上に改修用の屋根の屋根用取付材３０を配設した状態を示す正面図である。
【００３７】
この屋根用取付材３０は、改修用の屋根４０を下方より支持するとともに、屋根材のずれや型崩れを防止するもので、改修用の屋根４０と正面形状が同じになっている。なお、図５の例では、既設の折板屋根Ｙとは山部のピッチが異なる折板屋根を改修用の屋根４０として葺く例を示した。
【００３８】
屋根用取付材３０は、屋根４０の一方の端部から他方の端部までの寸法に対応した帯板形状をなしており、屋根４０の山部４１の形成方向に間隔を空けて複数並設される。連設された改修用屋根材取付具１、１の各台座部１８、１８には、屋根用取付材３０の谷部３３、３３の底部が溶接、ねじ止めなどにより固定される。
【００３９】
屋根用取付材３０の山部３１には頂部よりも少し低い段部３２が形成され、その段部３２には折曲板体よりなるハゼ結合部材３５（吊子）が上方に突出するようにボルト止めされている。
【００４０】
ハゼ結合部材３５は、屋根用取付材３０と屋根４０とを連結する部材であり、屋根材４２、４２同士のハゼ結合部に連結させるものである。ハゼ結合部材３５の上端部には、先端を鉤状とした結合片３５ａが形成されており、その結合片３５ａを、屋根材４２、４２同士のハゼ連結部４２ａ、４２ａ間に挟み入れ、ハゼ結合することで、屋根用取付材３０は隣設される両屋根材４２、４２に連結される。
【００４１】
なお、ハゼ結合部材３５、３５が屋根材４２、４２にしっかりと連結されるように、屋根４０の山部方向の寸法は、屋根用取付材３０の板幅寸法よりも大きくすることが望ましい。
【００４２】
このようにして、改修用の屋根４０は既設の折板屋根Ｙの上に、改修用屋根材取付具１を介して、重なるように葺かれる。
【００４３】
以上のように、改修用屋根材取付具１の上に、改修用の屋根４０取り付けのための屋根用取付材３０を簡単に取り付けることができる。そのため、改修用の屋根４０を手間なく葺くことができる。特に、改修用屋根材取付具１の長さ寸法は、既設の折板屋根Ｙのボルト体Ｂが突出した山部Ｙ１、Ｙ１間の寸法に合致した寸法であるため、従来使用していた長尺棒状のＣ型チャンネル鋼材などにくらべて取り扱いがしやすく、屋根上での施工作業を簡単、迅速にすることができる。また、図例のように、既設の折板屋根Ｙとは異なるピッチ、種類の改修用の屋根４０を取り付けることもできる。
【００４４】
なお、本実施形態では、改修用屋根材取付具１の上に取り付ける改修用の屋根４０としてハゼ結合してなる屋根４０を示したが、改修用屋根材取付具１の上に、既設の折板屋根Ｙと同種の重ね式連結構造の屋根材を取り付けるようにしてもよい。
【符号の説明】
【００４５】
１          改修用屋根材取付具（本体）
１０        脚部
１０ａ      外側面
１３        凹溝部
１３ａ      凹凸
１５        固定部
１５ａ      ボルト挿通孔
１８        台座部
２０        端部用挟持板体
２３        凹溝部
２３ａ      凹凸
２５        固定部
２５ａ      ボルト挿通孔
２          ボルト
３          ナット
Ｙ          既設の折板屋根
Ｙ１        山部
Ｂ          ボルト体
３０        屋根用取付材
４０        改修用の屋根
【図１】
2014214462.tif 000003
【図２】
2014214462.tif 000004
【図３】
2014214462.tif 000005
【図４】
2014214462.tif 000006
【図５】
2014214462.tif 000007
【手続補正書】
【提出日】平成26年6月23日(2014.6.23)
【手続補正１】
【補正対象書類名】特許請求の範囲
【補正対象項目名】全文
【補正方法】変更
【補正の内容】
【特許請求の範囲】
【請求項１】
折板屋根の山部間に、該山部より突出したボルト体間に挟まれるように架設される改修用屋根材取付具であって、
一対の脚部と、該脚部間に架設形成された新設屋根材施工用の台座部とを備えて、正面視で門形状をなした構成とされ、
前記脚部は、その外側面に凹溝部を有し、該凹溝部と、隣設される改修用屋根材取付具の脚部の凹溝部との間に前記ボルト体を挟持して固定する固定部を備えていることを特徴とする改修用屋根材取付具。
【請求項２】
請求項１において、
前記凹溝部の内面には凹凸が形成されていることを特徴とする改修用屋根材取付具。
【請求項３】
請求項１または２において、
前記脚部の凹溝部と同形状の凹溝部と、前記脚部に固定する固定部とを有した別体の端部用挟持板体をさらに備えており、
前記隣設される改修用屋根材取付具との固定に代えて、前記脚部の凹溝部と、前記端部用挟持板体の凹溝部とで前記ボルト体を挟持し、前記固定部同士で固定することを特徴とする改修用屋根材取付具。
【請求項４】
請求項１〜３のいずれか１項において、
前記凹溝部同士を突き合わせて形成される開口が、突き合わせ方向の径を短径とした略楕円形状であることを特徴とする改修用屋根材取付具。
【手続補正２】
【補正対象書類名】明細書
【補正対象項目名】０００７
【補正方法】変更
【補正の内容】
【０００７】
上記目的を達成するために、請求項１に記載の改修用屋根材取付具は、折板屋根の山部間に、該山部より突出したボルト体間に挟まれるように架設される改修用屋根材取付具であって、一対の脚部と、該脚部間に架設形成された新設屋根材施工用の台座部とを備えて、正面視で門形状をなした構成とされ、脚部は、その外側面に凹溝部を有し、該凹溝部と、隣設される改修用屋根材取付具の脚部の凹溝部との間にボルト体を挟持して固定する固定部を備えていることを特徴とする。